(57)【要約】【課題】  かつらベースにおける毛髪の固定性と毛髪の立ち上がりに優れた、かつらベースに毛髪を結ぶ方法を提供する。【解決手段】  毛髪１０を二つ折りにして第一のループ部１１と、二つの自由端部１２を形成し、第一のループ部１１をかつらベースの被取付部２０の下方を潜らせて、被取付部２０に対して第一のループ部１１を左右方向の一方の側に配置すると共に、自由端部１２を他方の側に配置し、二つの自由端部１２側の毛髪１０を被取付部２０の上方から第一のループ部１１に挿入して、第二のループ部を形成すると共に、第一のループ部１１に挿入する方向を回転軸として、第二のループ部を半回転以上回転させて変形ループ部１４を形成し、二つの自由端部１１側の毛髪１０の他の部分を被取付部２０の上方から変形ループ部１４に挿入して、二つの自由端部１２を変形ループ部１４から引き抜くことにより、被取付部２０に結び目を形成する。【選択図】    図１
2020026602.tif 000002
【特許請求の範囲】
【請求項１】
毛髪を二つ折りにして第一のループ部と、二つの自由端部を形成し、
前記第一のループ部をかつらベースの被取付部の下方を潜らせて、前記被取付部に対して前記第一のループ部を左右方向の一方の側に配置すると共に、前記自由端部を他方の側に配置し、
前記二つの自由端部側の毛髪を前記被取付部の上方から前記第一のループ部に挿入して、第二のループ部を形成すると共に、前記第一のループ部に挿入する方向を回転軸として、前記第二のループ部を半回転以上回転させて変形ループ部を形成し、
前記二つの自由端部側の毛髪の他の部分を前記被取付部の上方から前記変形ループ部に挿入して、前記二つの自由端部を前記変形ループ部から引き抜くことにより、前記被取付部に結び目を形成する
ことを特徴とするかつらベースに毛髪を結ぶ方法。
【請求項２】
前記変形ループ部を形成するときに、前記第一のループ部に挿入する方向を回転軸として、前記第二のループ部を半回転又は１回転させる
ことを特徴とする請求項１記載のかつらベースに毛髪を結ぶ方法。
【請求項３】
前記二つの自由端部を前記変形ループ部から引き抜いた後、前記被取付部に形成された結び目を絞る
ことを特徴とする請求項１又は２記載のかつらベースに毛髪を結ぶ方法。
【請求項４】
毛髪を二つ折りにして第一のループ部と、二つの自由端部を形成し、
前記第一のループ部をかつらベースの被取付部の下方を潜らせて、前記被取付部に対して前記第一のループ部を左右方向の一方の側に配置すると共に、前記自由端部を他方の側に配置し、
前記二つの自由端部側の毛髪を前記被取付部の上方から前記第一のループ部に挿入して、第二のループ部を形成すると共に、前記第一のループ部に挿入する方向を回転軸として、前記第二のループ部を半回転以上回転させて変形ループ部を形成し、
前記二つの自由端部側の毛髪の他の部分を前記被取付部の上方から前記変形ループ部に挿入して、前記二つの自由端部を前記変形ループ部から引き抜くことにより、前記被取付部に形成された
ことを特徴とするかつらベースにおける毛髪の結び目。
【請求項５】
毛髪を二つ折りにして第一のループ部と、二つの自由端部を形成し、
前記第一のループ部をかつらベースの被取付部の下方を潜らせて、前記被取付部に対して前記第一のループ部を左右方向の一方の側に配置すると共に、前記自由端部を他方の側に配置し、
前記二つの自由端部側の毛髪を前記被取付部の上方から前記第一のループ部に挿入して、第二のループ部を形成すると共に、前記第一のループ部に挿入する方向を回転軸として、前記第二のループ部を半回転以上回転させて変形ループ部を形成し、
前記二つの自由端部側の毛髪の他の部分を前記被取付部の上方から前記変形ループ部に挿入して、前記二つの自由端部を前記変形ループ部から引き抜くことにより、前記被取付部に結び目が形成されたかつらベースを備えた
ことを特徴とするかつら。
【発明の詳細な説明】
【技術分野】
【０００１】
本発明は、かつらに関し、特にかつらベースに毛髪を結び付ける技術に関する。
【背景技術】
【０００２】
かつらベースに毛髪を結び付けるための一般的な方法として、シングルノットと呼ばれる方法とダブルノットと呼ばれる方法がある。
シングルノットは、毛髪を二つ折りにしてループを形成し、このループに毛髪の自由端部をかつらベースにおける線状部などの被取付部を囲みながら挿入して引き抜くことにより、毛髪をかつらベースに結び付ける方法である。
ダブルノットは、毛髪を二つ折りにして第一のループを形成し、この第一のループに毛髪の自由端部側をかつらベースにおける線状部などの被取付部を囲みながら挿入して第二のループを形成し、この第二のループに毛髪の自由端部を挿入して引き抜くことにより、毛髪をかつらベースに結び付ける方法である。
【０００３】
シングルノットは、結び目が小さくて目立ち難いが、直ぐにほどけるという欠点があった。一方、ダブルノットは、シングルノットよりもほどけにくい強い結び目を得ることができる。しかしながら、結び目が大きくなるため、目立ちやすくなるという欠点があった。
【０００４】
かつらベースに毛髪を結び付ける技術に関する先行文献として、特許文献１に記載のかつらベースに毛髪を結び付ける方法を挙げることができる。
特許文献１に記載の方法では、ダブルノットの第二のループなどを形成した後、第二のループに挿入する方向を回転軸として、毛髪の自由端部側を一回以上回転させて第二のループに挿入する構成となっている。これにより、結び目が絞まって、結び目構造を小さくできる効果が得られるものとなっている。
【先行技術文献】
【特許文献】
【０００５】
【特許文献１】特許第６３１２５１４号明細書
【発明の概要】
【発明が解決しようとする課題】
【０００６】
しかしながら、このような方法において、２本の毛片で第一ループ及び第二ループを形成する場合には、得られる結び目構造は、ダブルノットによって得られる結び目と大きく異なるものではなかった。
【０００７】
このような状況において、本発明者は、毛髪をかつらベースに強く結び付けることができる結び方を鋭意研究し、ダブルノットよりも結び目が強く締まり、かつダブルノットよりも毛髪が立ち易いという効果の得られる新たな結び方を案出して、本発明を完成させた。
【０００８】
すなわち、本発明は、ダブルノットよりも結び目が強く締まり、かつダブルノットよりも毛髪を立たせることができるかつらベースに毛髪を結ぶ方法、かつらベースにおける毛髪の結び目、及びかつらの提供を目的とする。
【課題を解決するための手段】
【０００９】
上記目的を達成するため、本発明のかつらベースに毛髪を結ぶ方法は、毛髪を二つ折りにして第一のループ部と、二つの自由端部を形成し、前記第一のループ部をかつらベースの被取付部の下方を潜らせて、前記被取付部に対して前記第一のループ部を左右方向の一方の側に配置すると共に、前記自由端部を他方の側に配置し、前記二つの自由端部側の毛髪を前記被取付部の上方から前記第一のループ部に挿入して、第二のループ部を形成すると共に、前記第一のループ部に挿入する方向を回転軸として、前記第二のループ部を半回転以上回転させて変形ループ部を形成し、前記二つの自由端部側の毛髪の他の部分を前記被取付部の上方から前記変形ループ部に挿入して、前記二つの自由端部を前記変形ループ部から引き抜くことにより、前記被取付部に結び目を形成する方法としてある。
【００１０】
また、本発明のかつらベースにおける毛髪の結び目は、毛髪を二つ折りにして第一のループ部と、二つの自由端部を形成し、前記第一のループ部をかつらベースの被取付部の下方を潜らせて、前記被取付部に対して前記第一のループ部を左右方向の一方の側に配置すると共に、前記自由端部を他方の側に配置し、前記二つの自由端部側の毛髪を前記被取付部の上方から前記第一のループ部に挿入して、第二のループ部を形成すると共に、前記第一のループ部に挿入する方向を回転軸として、前記第二のループ部を半回転以上回転させて変形ループ部を形成し、前記二つの自由端部側の毛髪の他の部分を前記被取付部の上方から前記変形ループ部に挿入して、前記二つの自由端部を前記変形ループ部から引き抜くことにより、前記被取付部に形成された構成としてある。
【００１１】
また、本発明のかつらは、毛髪を二つ折りにして第一のループ部と、二つの自由端部を形成し、前記第一のループ部をかつらベースの被取付部の下方を潜らせて、前記被取付部に対して前記第一のループ部を左右方向の一方の側に配置すると共に、前記自由端部を他方の側に配置し、前記二つの自由端部側の毛髪を前記被取付部の上方から前記第一のループ部に挿入して、第二のループ部を形成すると共に、前記第一のループ部に挿入する方向を回転軸として、前記第二のループ部を半回転以上回転させて変形ループ部を形成し、前記二つの自由端部側の毛髪の他の部分を前記被取付部の上方から前記変形ループ部に挿入して、前記二つの自由端部を前記変形ループ部から引き抜くことにより、前記被取付部に結び目が形成されたかつらベースを備えた構成としてある。
【発明の効果】
【００１２】
本発明によれば、ダブルノットよりも結び目が強く締まり、かつ毛髪を立たせることができるかつらベースに毛髪を結ぶ方法、かつらベースにおける毛髪の結び目、及びかつらを提供することが可能となる。
【図面の簡単な説明】
【００１３】
【図１】本発明の第一実施形態に係るかつらベースに毛髪を結ぶ方法（第二のループ部を半回転させて変形ループ部を形成したもの）を示す説明図である。
【図２】本発明の第一実施形態に係るかつらベースに毛髪を結ぶ方法（第二のループ部を半回転させて変形ループ部を形成したもの）により形成された結び目の構造を示す図である。
【図３】本発明の第二実施形態に係るかつらベースに毛髪を結ぶ方法（第二のループ部を１回転させて変形ループ部を形成したもの）を示す説明図である。
【図４】本発明の第二実施形態に係るかつらベースに毛髪を結ぶ方法（第二のループ部を１回転させて変形ループ部を形成したもの）により形成された結び目の構造を示す図である。
【図５】従来のダブルノットによりかつらベースに毛髪を結ぶ方法を示す説明図である。
【図６】従来のダブルノットによりかつらベースに形成される結び目の構造を示す図である。
【発明を実施するための形態】
【００１４】
以下、本発明の実施形態に係るかつらベースに毛髪を結ぶ方法、かつらベースにおける毛髪の結び目、及びかつらについて、図面を参照して詳細に説明する。
【００１５】
まず、従来のダブルノットによるかつらベースに毛髪を結ぶ方法について、図５及び図６を用いて説明する。図５は、従来のダブルノットによりかつらベースに毛髪を結ぶ方法を示す説明図であり、図６は、従来のダブルノットによりかつらベースに形成される結び目の構造を示す図である。
【００１６】
図５の（１）に示すように、毛髪１００を二つ折りにして第一のループ部１０１と、二つの自由端部１０２を形成する。そして、第一のループ部１０１をかつらベースの被取付部２００の下方を潜らせて、被取付部２００に対して第一のループ部１０１を左右方向の一方の側に配置すると共に、自由端部１０２を他方の側に配置する。
【００１７】
次いで、図５の（２）に示すように、二つの自由端部１０２側の毛髪を被取付部２００の上方から第一のループ部１０１に挿入して、第二のループ部１０３を形成する。
さらに、図５の（３）に示すように、二つの自由端部１０２側の毛髪の他の部分を被取付部２００の上方から第二のループ部１０３に挿入する。
【００１８】
そして、図５の（４）に示すように、二つの自由端部１０２を第二のループ部１０３から引き抜く。これによって、図５の（５）に示すように、被取付部２００において、結び目が形成される。
このようにして形成された結び目を、図５の（６）に示すように被取付部２００に向けて引き絞ることによって、図６に示すような結び目（表、裏）を得ることができる。
【００１９】
なお、図５及び図６を参照して、「下方」、「上方」、「左右方向」、「表」、及び「裏」という用語を用いて説明しているが、これらは結び方を明確に説明するために便宜上使用しているものである。すなわち、これらの用語は、かつらベースの被取付部に対する毛髪を取り付ける向きや、かつらベースの被取付部の配置方向などに対応して、変更して用いられることは言うまでもない。例えば、図５及び図６において、かつらベースの被取付部に対して毛髪を左側に取り付ける場合には、「下方」、「上方」は、それぞれ反対に「上方」、「下方」になり得る。また、かつらベースの被取付部を横方向に配置する場合には、「左右方向」が、「前後方向」になり得る。これは、以下の説明、及び特許請求の範囲の記載においても同様である。
【００２０】
次に、本発明の第一実施形態に係るかつらベースに毛髪を結ぶ方法、及びかつらベースにおける毛髪の結び目について、図１及び図２を用いて説明する。
図１は、本実施形態に係るかつらベースに毛髪を結ぶ方法（第二のループ部を半回転させて変形ループ部を形成したもの）を示す説明図であり、図２は、本実施形態に係るかつらベースに毛髪を結ぶ方法により形成された結び目の構造を示す図である。
【００２１】
図１の（１）に示すように、毛髪１０を二つ折りにして第一のループ部１１と、二つの自由端部１２を形成する。そして、第一のループ部１１をかつらベースの被取付部２０の下方を潜らせて、被取付部２０に対して第一のループ部１１を左右方向の一方の側に配置すると共に、自由端部１２を他方の側に配置する。
【００２２】
かつらベースの被取付部は、かつらベースにおける、毛髪が結び付けたりすることによって取り付けられる部分であり、例えば網目などを構成する線状部や、樹脂のシート状部材、人工皮膚などの面状部が含まれる。これは、第二実施形態においても同様である。
【００２３】
なお、かつらベースの被取付部への毛髪の取り付けは、例えばかぎ針などを用いて行うことができる。また、被取付部が面状部である場合には、縫い針などを用いて、毛髪を面状部に縫い付けることにより、取り付けることができる。
【００２４】
次いで、図１の（２）に示すように、二つの自由端部１２側の毛髪を被取付部２０の上方から第一のループ部１１に挿入して、第二のループ部を形成する。
このとき、第一のループ部１１に挿入する方向を回転軸として、第二のループ部を回転させて変形ループ部１４を形成する。その回転方向は右回転方向でも左回転方向でもよい。
【００２５】
同図では、第二のループ部を半回転させて、第一のループ部１１に挿入し、変形ループ部１４を形成している。
さらに、図１の（３）に示すように、二つの自由端部１２側の毛髪の他の部分を被取付部２０の上方から変形ループ部１４に挿入する。
【００２６】
そして、図１の（４）に示すように、二つの自由端部１２を変形ループ部１４から引き抜く。これによって、図１の（５）に示すように、被取付部２０において、結び目が形成される。
このようにして形成された結び目を、図１の（６）に示すように被取付部２０に向けて引き絞ることによって、図２に示すような結び目（表、裏）を得ることができる。
【００２７】
このようにして得られた結び目の構造は、ダブルノットの結び目に比較して、毛髪の根本側（かつらベースにおける被取付部側）を締め付ける部分（締付部）の大きさが増大する。
このため、本実施形態のかつらベースに毛髪を結ぶ方法によれば、ダブルノットに比較して、かつらベースへの固定性に優れた強い結び目を得ることができる。また、このような結び目によれば、毛髪の根本側の周囲をより広範囲に絞ることができるため、かつらベースに対する毛髪の立ち上がりを向上させることが可能になっている。
【００２８】
さらに、このような本実施形態の結び目によって作成されたかつらベースを備えたかつらは、毛髪の固定性と立ち上がりに優れたものとすることが可能である。
【００２９】
次に、本発明の第二実施形態に係るかつらベースに毛髪を結ぶ方法、及びかつらベースにおける毛髪の結び目について、図３及び図４を用いて説明する。
図３は、本実施形態に係るかつらベースに毛髪を結ぶ方法（第二のループ部を一回転させて変形ループ部を形成したもの）を示す説明図であり、図４は、本実施形態に係るかつらベースに毛髪を結ぶ方法により形成された結び目の構造を示す図である。
【００３０】
図３の（１）に示すように、毛髪１０ａを二つ折りにして第一のループ部１１ａと、二つの自由端部１２ａを形成する。そして、第一のループ部１１ａをかつらベースの被取付部２０ａの下方を潜らせて、被取付部２０ａに対して第一のループ部１１ａを左右方向の一方の側に配置すると共に、自由端部１２ａを他方の側に配置する。
【００３１】
次いで、図３の（２）に示すように、二つの自由端部１２ａ側の毛髪を被取付部２０ａの上方から第一のループ部１１ａに挿入して、第二のループ部を形成する。
このとき、第一のループ部１１ａに挿入する方向を回転軸として、第二のループ部を回転させて変形ループ部１４ａを形成する。その回転方向は右回転方向でも左回転方向でもよい。
【００３２】
同図では、第二のループ部を一回転させて、第一のループ部１１ａに挿入し、変形ループ部１４ａを形成している。
さらに、図３の（３）に示すように、二つの自由端部１２ａ側の毛髪の他の部分を被取付部２０ａの上方から変形ループ部１４ａに挿入する。
【００３３】
そして、図３の（４）に示すように、二つの自由端部１２ａを変形ループ部１４ａから引き抜く。これによって、図３の（５）に示すように、被取付部２０ａにおいて、結び目が形成される。
このようにして形成された結び目を、被取付部２０ａに向けて引き絞ることによって、図４に示すような結び目（表、裏）を得ることができる。
【００３４】
このようにして得られた結び目の構造は、第一実施形態による結び目に比較して、毛髪の根本側（かつらベースにおける被取付部側）を締め付ける部分（締付部）の大きさがさらに増大している。
このため、本実施形態のかつらベースに毛髪を結ぶ方法によれば、かつらベースへの固定性により優れた強い結び目を得ることができると共に、かつらベースに対する毛髪の立ち上がりをより向上させることが可能になっている。
【００３５】
さらに、このような本実施形態の結び目によって作成されたかつらベースを備えたかつらは、より一層毛髪の固定性と立ち上がりに優れたものとすることが可能である。
【００３６】
本発明は、以上の実施形態に限定されるものではなく、本発明の範囲内において、種々の変更実施が可能であることは言うまでもない。例えば、上記実施形態では、変形ループ部を形成するときに、第一のループ部に挿入する方向を回転軸として、第二のループ部を半回転又は１回転させているが、さらに多く回転させて変形ループ部を形成するなど、適宜変更することが可能である。
【産業上の利用可能性】
【００３７】
本発明は、毛髪の固定性に優れると共に、毛髪の立ち上がりに優れたかつらを製造する場合などに好適に利用することが可能である。
【符号の説明】
【００３８】
１０、１０ａ  毛髪
１１、１１ａ  第一のループ部
１２、１２ａ  自由端部
１４、１４ａ  変形ループ部
２０、２０ａ  かつらベースにおける被取付部
【図１】
2020026602.tif 000003
【図２】
2020026602.tif 000004
【図３】
2020026602.tif 000005
【図４】
2020026602.tif 000006
【図５】
2020026602.tif 000007
【図６】
2020026602.tif 000008